(57)【特許請求の範囲】
【請求項１】
出隅コーナーにおいて、直交する両方向から突出されるサッシ枠６・７同士を、独立柱５に固定する構造において、該独立柱５に柱側固定金具１を溶接固定し、該柱側固定金具１にサッシ側固定金具２・３を螺装する雌螺子突起部１ｃ・１ｄを直交して突設し、該雌螺子突起部１ｃ・１ｄに挟持ボルト１２・１３によりサッシ側固定金具２・３を螺装し、該サッシ側固定金具２・３と独立柱５の直交する側面との間に、サッシ枠６・７の固定用突出縁６ａ・７ａを挟持することを特徴とするコーナーサッシの固定構造。
【請求項２】
請求項１記載のコーナーサッシの固定構造において、雌螺子突起部１ｃ・１ｄとサッシ側固定金具２・３との間には、挟持ボルト１２・１３の外周に付勢バネ２２・２３を介装したことを特徴とするコーナーサッシの固定構造。
【請求項３】
請求項２記載のコーナーサッシの固定構造において、挟持ボルト１２・１３は、頭部に六角レンチの嵌合可能な、六角孔を穿設し、六角レンチにより挟持ボルト１２・１３を回転可能としたことを特徴とするコーナーサッシの固定構造。
【発明の詳細な説明】
【０００１】
【発明の属する技術分野】
本発明は、住宅のサッシ窓の配置における出窓や出隅部分において、両側から直交状態でサッシ枠が突き合わされ、該突き合わせ部に配置された独立柱に、該サッシ枠の固定用突出縁を挟持する場合の固定構造に関する。
【０００２】
【従来の技術】
従来から、住宅において、出窓や出隅の部分の如く、直交するようにサッシ枠が出て来て突き合わせられる部分は存在したのである。
しかし、従来は、この部分に立設される独立柱１５が、肉厚の薄い、例えば３．２ミリの角パイプ等で構成されていたので、サッシ枠の固定用突出縁を挟持するサッシ側固定金具は、サッシ枠の肉圧部分に直接にタッピングボルトにより螺装固定されていたのである。
故に、従来の技術では、本発明の柱側固定金具に該当するような別部材が設けられていなかったのである。
従来は、以上の如く、独立柱を構成する角パイプの厚みが３．２ミリで可能であったので、該独立柱を構成する角パイプの厚みの部分にタッピングボルトを螺装することが出来たのである。
【０００３】
しかし、近年、北陸や東北地方等の多雪地帯において、出来るだけ出隅の幅を広く取って、出窓の幅を広く構成し、雪が積もった場合にも、自然光を多く取り入れようとする要望が多くなり、出窓のサッシ枠の幅を広く取ると、これを支持する為の独立柱の強度を増す必要があり、角パイプの径を大きくすることは、他の部品との共通性をなくすので、独立柱を構成する角パイプの厚みを厚くする所作が行われるようになったのである。
このような目的で、角パイプの厚みを３．２ミリから６ミリに厚くした場合には、従来の如くサッシ側固定金具を固定する為のタッピングボルトが、６ミリの角パイプには螺装しにくくなって来たのである。
特に、角パイプの厚みが６ミリとなると、パイプの角部の円弧が大きくなり、該部分にタッピングボルトの為の螺装孔を開けにくく、また、パイプが厚すぎる為に、タッピングボルトの為の螺装孔をドリルで穿設する作業が適当ではなくなったのである。
【０００４】
【発明が解決しようとする課題】
本発明においては、このように独立柱を構成する角パイプの厚みが厚くなった場合に、サッシ側固定金具を固定する為に、独立柱とは別に、独立柱の側面に柱側固定金具を溶接固定し、該柱側固定金具に雌螺子突起部を設けて、この部分に挟持ボルトを螺装したものである。
【０００５】
【課題を解決するための手段】
本発明が解決しようとする課題は以上の如くであり、次に該課題を解決するための手段を説明する。
請求項１においては、出隅コーナーにおいて、直交する両方向から突出されるサッシ枠６・７同士を、独立柱５に固定する構造において、該独立柱５に柱側固定金具１を溶接固定し、該柱側固定金具１にサッシ側固定金具２・３を螺装する雌螺子突起部１ｃ・１ｄを直交して突設し、該雌螺子突起部１ｃ・１ｄに挟持ボルト１２・１３によりサッシ側固定金具２・３を螺装し、該サッシ側固定金具２・３と独立柱５の直交する側面との間に、サッシ枠６・７の固定用突出縁６ａ・７ａを挟持するものである。
【０００６】
請求項２においては、請求項１記載のコーナーサッシの柱への固定構造において、雌螺子突起部１ｃ・１ｄとサッシ側固定金具２・３との間には、挟持ボルト１２・１３の外周に付勢バネ２２・２３を介装したものである。
【０００７】
請求項３においては、請求項２記載のコーナーサッシの柱への固定構造において、挟持ボルト１２・１３は、頭部に六角レンチの嵌合可能な、六角孔を穿設し、六角レンチにより挟持ボルト１２・１３を回転可能としたものである。
【０００８】
【発明の実施の形態】
次に本発明の実施の形態を説明する。
図１は本発明を実施する出窓部分の正面図と側面図、図２は同じく図１の出窓部分の平面断面図、図３は独立柱５に対して柱側固定金具１を溶接固定し、サッシ側固定金具２・３によりサッシ枠６・７を固定する状態を示す斜視図、図４は六角レンチ１７により挟持ボルト１２・１３を螺装する状態を示す斜視図、図５は独立柱５と柱側固定金具１とサッシ側固定金具２・３の部分を示す拡大斜視図、図６は柱側固定金具１とサッシ側固定金具２・３と挟持ボルト１２・１３とサッシ枠６・７の部分の拡大平面断面図、図７は従来の技術を示す独立柱１５とサッシ側固定金具３２・３３を示す拡大平面断面図である。
【０００９】
図１においては、サッシ枠６・７が配置されている。該サッシ枠６・７に窓枠サッシが窓ガラスを嵌装した状態で摺動可能に嵌装されるのである。
そして、独立柱５の部分で、左右から直交して交差すべく突出されたサッシ枠６・７が固定されて、該固定部分の外側には外側化粧サッシ１０が、内側には内側化粧サッシ１４が嵌合される。
該外側化粧サッシ１０を嵌合させる取付金具は、サッシ枠６・７より突出された外側化粧サッシ１０を固定する為の化粧サッシ固定縁部６ｂ・７ｂに、タッピング螺子で螺装固定されている。
同様に、内側化粧サッシ１４を嵌合させる取付金具も、サッシ枠６・７から突出される化粧サッシ固定縁部６ｃ・７ｃにタッピング螺子で螺装固定されいる。
【００１０】
図７に示す従来の独立柱１５と、図６に示す本発明の独立柱５とは、外径の大きさは同じであるが、角パイプの厚さが、図７の場合には３．２ミリであり、図６の場合が６ミリである。この厚さの相違により、サッシ枠６の幅を大きく取れる強度を独立柱５に与えることが出来るのである。
図７に示す如く、厚みが３．２ミリの場合には、独立柱１５の角パイプの外周の平面部分が広くなるので、タッピングボルト３４・３５の為の平面を確保する余裕が発生する。
しかし、図６の如く、独立柱５を構成する角パイプの厚みが６ミリとなると、サッシ側固定金具２・３を当てる為の独立柱５の平面部分が狭くなり、挟持ボルト１２・１３を螺装する為の平面も独立柱５の外周面には取れなくなるのである。
【００１１】
更に、独立柱５の厚さが厚すぎる為に、細い挟持ボルト１２・１３を螺装する為のタッピング螺子孔を開ける為のドリルも立ち難くなるのである。
本発明は、このような不具合を解消する為に、独立柱５の周囲に別体として、柱側固定金具１を溶接固定したものである。
該柱側固定金具１の構造は、図５において図示されている如く、独立柱５の直交する平面に溶接固定する為の直交曲折部１ｆ・１ｇと、挟持ボルト１２・１３を螺装する螺子孔１ａ・１ｂをタッピンク開口する部分である雌螺子突起部１ｃ・１ｄとを突設している。該直交曲折部１ｆ・１ｇの部分を独立柱５の直交する平面に溶接固定することにより、柱側固定金具１は固定している。
【００１２】
前記独立柱５の表面の所定の位置に固定した状態の柱側固定金具１に、サッシ側固定金具２・３を挟持ボルト１２・１３により固定するのであるが、該独立柱５とサッシ側固定金具２・３との間で、挟持ボルト１２・１３の外周に付勢バネ２２・２３を嵌装している。
該付勢バネ２２・２３を嵌装することにより、サッシ枠６・７の固定用突出縁６ａ・７ａを固定する場合において、付勢バネ２２・２３による付勢状態で挟持することができるので、完全な挟持状態を回避することができ、住宅の振動等を該付勢バネ２２・２３の部分で吸収することが可能となったのである。
【００１３】
そして、本発明においては、独立柱５に対して、サッシ側固定金具２・３によりサッシ枠６・７を固定する挟持ボルト１２・１３は、頭部に六角レンチ１７が嵌入する為の嵌入六角孔を設けたボルトとしている。
これにより、挟持ボルト１２・１３の頭部の六角外周にスパナを嵌合する必要がなく、六角レンチ１７により直線的に螺子締めすることが出来るのである。
【００１４】
【発明の効果】
本発明は以上の如く構成したので、次のような効果を奏するものである。
請求項１の如く、出隅コーナーにおいて、直交する両方向から突出されるサッシ枠６・７同士を、独立柱５に固定する構造において、該独立柱５に柱側固定金具１を溶接固定し、該柱側固定金具１にサッシ側固定金具２・３を螺装する雌螺子突起部１ｃ・１ｄを直交して突設し、該雌螺子突起部１ｃ・１ｄに挟持ボルト１２・１３によりサッシ側固定金具２・３を螺装し、該サッシ側固定金具２・３と独立柱５の直交する側面との間に、サッシ枠６・７の固定用突出縁６ａ・７ａを挟持すべく構成したので、肉厚の大きな独立柱５に対して、挟持ボルト１２・１３を螺装する為の小径のタッピング孔を開口する必要がなくなったのである。即ち、独立柱５を厚みを厚くした場合にも、柱側固定金具１を独立柱５の外周に溶接固定することにより、簡単にサッシ枠６・７を固定する構造を作り上げることが出来たのである。
また、独立柱５を厚みの大きなかつ強度の高いものとすることが可能となり、出隅コーナーや出窓のサッシの開口幅を広くしても、独立柱５により十分に支持させる構造とすることが可能となったものである。
【００１５】
請求項２の如く、コーナーサッシの柱への固定構造において、雌螺子突起部１ｃ・１ｄとサッシ側固定金具２・３との間には、挟持ボルト１２・１３の外周に付勢バネ２２・２３を介装したので、サッシ枠６・７の固定用突出縁６ａ・７ａの部分を挟持する部分において、付勢バネ２２・２３により、余裕を持った状態で押圧挟持することが可能となり、地震や揺れに対して、この揺れを誤差を吸収可能な、余裕を持ったコーナーサッシの固定構造とすることが出来たのである。
【００１６】
請求項３の如く、コーナーサッシの柱への固定構造において、挟持ボルト１２・１３は、頭部に六角レンチの嵌合可能な、六角孔を穿設し、六角レンチにより挟持ボルト１２・１３を回転可能としたので、挟持ボルト１２・１３を螺装操作する場合において、六角レンチ１７を真っ直ぐに挿入した状態で操作することが出来るので、組立作業が容易に出来るようになったのである。
【図面の簡単な説明】
【図１】本発明を実施する出窓部分の正面図と側面図。
【図２】同じく図１の出窓部分の平面断面図。
【図３】独立柱５に対して柱側固定金具１を溶接固定し、サッシ側固定金具２・３によりサッシ枠６・７を固定する状態を示す斜視図。
【図４】六角レンチ１７により挟持ボルト１２・１３を螺装する状態を示す斜視図。
【図５】独立柱５と柱側固定金具１とサッシ側固定金具２・３の部分を示す拡大斜視図。
【図６】柱側固定金具１とサッシ側固定金具２・３と挟持ボルト１２・１３とサッシ枠６・７の部分の拡大平面断面図。
【図７】従来の技術を示す独立柱１５とサッシ側固定金具３２・３３を示す拡大平面断面図。
【符号の説明】
１  柱側固定金具
１ａ・１ｂ  螺子孔
１ｃ・１ｄ  雌螺子突起部
１ｆ・１ｇ  直交曲折部
２・３  サッシ側固定金具
５・１５  独立柱
６・７  サッシ枠
１０  外側化粧サッシ
１４  内側化粧サッシ
１２・１３  挟持ボルト
１７  六角レンチ
【図１】
0003543926.tif 000002
【図２】
0003543926.tif 000003
【図３】
0003543926.tif 000004
【図４】
0003543926.tif 000005
【図５】
0003543926.tif 000006
【図６】
0003543926.tif 000007
【図７】
0003543926.tif 000008